(57)【要約】【課題】誤挿入を防止して、正しい位置のモジュラージャックにモジュラープラグを挿入できるようにする電子機器、または誤挿入防止部材を提供すること。【解決手段】実施形態によれば、電子機器は、複数のジャックと、誤挿入防止部材とを具備する。複数のジャックは、プラグを差し込む順番に優先順位がある。誤挿入防止部材は、このジャックの周りに設けられ、優先順位が高い方のジャックにプラグが接続されていないときは、優先順位が低い方のジャックの少なくとも一部を閉塞し、優先順位が高い方のジャックにプラグが挿入されているときには、優先順位が低い方のジャックの前記閉塞を解除する。【選択図】  図３
2015038807.tif 000002
【特許請求の範囲】
【請求項１】
電子機器において、
プラグを差し込む順番に優先順位のある複数のジャックと、
このジャックの周りに設けられ、優先順位が高い方のジャックにプラグが接続されていないときは、優先順位が低い方のジャックの少なくとも一部を閉塞し、優先順位が高い方のジャックにプラグが挿入されているときには、優先順位が低い方のジャックの前記閉塞を解除する誤挿入防止部材と
具備する電子機器。
【請求項２】
前記誤挿入防止部材は、前記複数のジャックの近傍に、軸を中心に回転自在に取り付けられ、優先順位が高いジャック側が短い短足部と、優先順位が低いジャック側は長い長足部と
を具備する請求項１記載の電子機器。
【請求項３】
前記誤挿入防止部材は、
誤挿入防止部材の長足部が、前記優先順位が低いジャックを閉塞する方向に回動させる弾性部材と
を具備する請求項１記載の電子機器。
【請求項４】
前記優先順位の低い方のジャックは、その外周に２辺に設けられた誤挿入防止リブを
具備する請求項１記載の電子機器。
【請求項５】
前記電子機器は、電話機であり、
前記優先度の高いジャックは、ハンドセット用のモジュラージャックであり、
前記優先度の低いジャックは、ヘッドセット用のモジュラージャックである請求項１記載の電子機器。
【請求項６】
電子機器に設けられた複数のジャックの近傍に、軸を中心に回転自在に取り付けられ、
優先順位が高いモジュラージャック側が短い短足部と、
優先順位が低いモジュラージャック側は長い長足部と
を具備する誤挿入防止部材。
【発明の詳細な説明】
【技術分野】
【０００１】
本発明の実施形態は、モジュラージャックを有する電子機器、及びモジュラージャックの誤挿入防止部材に関する。
【背景技術】
【０００２】
一般に、電話機には、通話を行うために、送話器及び受話器を有するハンドセットが用いられる。ハンドセットは、電話機本体にモジュラージャックにより接続される。また、ハンドセットの他にも、電話機本体にモジュラージャックにより接続されるものがある。
【０００３】
これらのモジュラージャックの形状は同一である場合が多く、またモジュラージャックの位置も、レイアウトの都合上、複数のモジュラージャックを並べて設けている場合が多い。
【０００４】
このため、誤挿入をすると機器の動作に不具合が生ずることがある。
【先行技術文献】
【特許文献】
【０００５】
【特許文献１】特開２００３−１３３００４号公報
【発明の概要】
【発明が解決しようとする課題】
【０００６】
従来の電子機器では、複数のモジュラージャックを有するものがあるが、形状が同一である場合があり、また配置場所が近接していると、正しい位置のモジュラージャックにモジュラープラグを接続することが難しくなり、誤挿入を行う恐れがあるため、誤挿入を防止したいという要求があった。
【０００７】
本発明の目的は、誤挿入を防止して、正しい位置のモジュラージャックにモジュラープラグを挿入できるようにする電子機器、または誤挿入防止部材を提供することを目的とする。
【課題を解決するための手段】
【０００８】
実施形態によれば、電子機器は、複数のジャックと、誤挿入防止部材とを具備する。複数のジャックは、プラグを差し込む順番に優先順位がある。誤挿入防止部材は、このジャックの周りに設けられ、優先順位が高い方のジャックにプラグが接続されていないときは、優先順位が低い方のジャックの少なくとも一部を閉塞し、優先順位が高い方のジャックにプラグが挿入されているときには、優先順位が低い方のジャックの前記閉塞を解除する。
【図面の簡単な説明】
【０００９】
【図１】実施形態の電話機の外観図。
【図２】電話機本体のモジュラージャックの構成を示す構成図。
【図３】誤挿入防止部材を設けた場合の本提案の実施例のモジュラージャック部の構成図。
【図４】実施形態の誤挿入防止部材の形状を示す図。
【図５】図3のA−Aにおける断面図。
【図６】電話機本体の内側から見た構成図。
【図７】誤挿入防止部材に使用するバネの構成図。
【図８】誤挿入防止部材の取付け構造を説明するための断面図。
【図９】誤挿入防止部材に使用する止め輪の構成図。
【図１０】実施形態の優先順位「高」モジュラープラグの挿入前を示す図。
【図１１】実施形態の優先順位「高」モジュラープラグの挿入後を示す図。
【図１２】実施形態のでモジュラープラグを誤挿入しようとした場合の図。
【図１３】実施形態の誤挿入しようとした場合の断面図。
【発明を実施するための形態】
【００１０】
以下、実施の形態について図面を参照して詳細に説明する。
図１は、本提案の実施例である電話機の外観図である。
電話機本体１には、ダイヤルキー２、ファンクションキー３、表示部４、ハンドセット５等が設けられている。
電話機で通話を行うときは、一般には送話器と受話器を有するハンドセット5を持ち上げ、ダイヤルを行うことで発呼を行うことで、通話を行う。しかしながら、例えばコールセンターのように、オペレータが集中的に多数の電話を受けることが想定される場合は、オペレータの作業性を確保するため、マイクとスピーカが具備するベッドセットにより応答する場合も考えられる。このため、電話機本体には、ハンドセット用のモジュラージャックの他に、ヘッドセット用のモジュラージャックも設けられている場合が多い。
【００１１】
図２は、電話機本体1のモジュラージャックの構成を示す図である。
ここで、ハンドセット用のモジュラージャック6とヘッドセット用のモジュラージャック7は、電話機本体1の背面等に設けられる。ここで、モジュラージャックの形状や大きさが同一である場合が多い。このため、モジュラープラグの誤挿入防止のために、ハンドセット用モジュラージャック6の周辺にハンドセットのマークの彫刻（または印刷）８が、ヘッドセット用モジュラージャック7の周りにはヘッドセットのマークの彫刻（または印刷）９を行っている。
【００１２】
しかし表示のみでモジュラージャックを識別する方法では、間違えて異なるモジュラージャックへ誤挿入を起こす恐れがある。具体的には、現在の電話機ではハンドセットのモジュラープラグをヘッドセットモジュラージャック7に挿入してしまうと、フックが切れないという誤動作が生ずる。このため、２種類のモジュラージャックは、挿入するモジュラージャックを間違えないことはもちろん、モジュラープラグを差し込む順番に優先順位を規定している。このため、まず、優先順位１番目であるハンドセット用のモジュラージャック16に優先順位１番目のハンドセットのモジュラープラグを挿入する。その後、優先順位２番目のヘッドセット用のモジュラージャックに優先順位２番目のヘッドセット用のモジュラープラグを挿入するようにしている。
【００１３】
このため、本実施例では、ハンドセットモジュラープラグを確実にハンドセット用モジュラージャックに挿入するために誤挿入防止部材10を設けている。
図3は、誤挿入防止部材10を設けた場合の本提案の実施例のモジュラージャック部の構成図である。
図において、電話機本体1に設けられたハンドセット用モジュラージャック6とヘッドセット用モジュラージャック7の周辺には、回動可能に、誤挿入防止部材10が取り付けられる。誤挿入防止部材10は、図4に示すように、Ｌ字形状の形状となっており、優先順位1番目(ハンドセット用)のモジュラージャック側は、短い短足部11、優先順位2番目(ヘッドセット用)のモジュラージャック側は長い長足部12を有する。ここで、短足部12の一部は円弧状となっている。そして、Ｌ字の形状をした誤挿入防止部材１０は２つのモジュラージャックをそれぞれ塞ぐ様な状態で取り付けられている。
【００１４】
そして、短足部11と長足部12の接続部の背面には回転軸13が設けられ、さらに先端にはスリッド14が設けられている。
図５は、図3のA−Aにおける断面図であり、図６は、電話機本体１の内側から見た図である。
本体ベース１５には穴が設けられていて穴の深さを延長する延長リブ１６が設けられている。誤挿入防止部材１０の回転軸１３を本体ベース１５の穴に挿入し、バネ１７を取り付ける。図７は、バネ１７の形状を示す図である。
【００１５】
ここで、図８は、本提案の実施例のバネ止めリブ部２０の縦断面図（図６のＢ−Ｂ断面）である。
バネ１７の一端の１８を回転軸１３に設けられたスリッド１４に嵌め込み、バネの他端１９を本体ベース１５のバネ止めリブ２０に引っ掛け固定する。更に、回転軸１３からバネ１７が抜け落ちないようにし、本体ベース１５から誤挿入防止部材１０が抜け落ちないようにするため、図９に示す止め輪２１を回転軸１３に押し込み固定する。
【００１６】
このように、誤挿入防止部材１０は、バネ１７を使用して取り付けられることで、図３における右周りの方向への回転力が与えられている。優先順位2番目のヘッドセット用モジュラージャック７の外周の２辺には、誤挿入防止リブ２２が設けられている。この誤挿入防止リブ２２は誤挿入防止部材１０の回転止めにもなっている。
【００１７】
次に、動作について、説明する。
図１０は、優先順位１番目のハンドセット用のモジュラープラグ２３の挿入時の誤挿入防止部材１０の状態を示す図である。
ハンドセット用モジュラージャック６へモジュラープラグ２３を挿入する場合は、誤挿入防止部材１０の短足部１１の側面にモジュラープラグ１２の側面を押し当てて、矢印の示す方向へ動かして挿入する。
【００１８】
図１１は、優先順位１番目のハンドセット用のモジュラープラグ２３の挿入後の誤挿入防止部材１０の状態を示す図である。
ハンドセット用モジュラージャック６にモジュラープラグ２３が挿入されると、誤挿入防止部材１０が回転し、長足部１２がヘッドセット用モジュラージャック７から外れ、ヘッドセットモジュラープラグが挿入できる状態になる。
【００１９】
一方、図１２は、モジュラープラグを誤挿入しようとした場合の図であり、図１３は、図１２のＣ−Ｃ断面である。
既に説明したように、誤挿入防止部材１０は、バネ１７の働きにより右回りの力がかかっており、誤挿入防止リブ２２が回転止めとして作用している。このため、モジュラープラグ２３を優先順位２番目のヘッドセット用モジュラージャック７に対して先に挿入しようとしても、誤挿入防止部材１０の長足部１２と本体ベース１５に設置された誤挿入防止リブ２２により、ヘッドセット用モジュラージャック７が塞がれているため、モジュラープラグ２３が挿入されるのを、ブロックする。ここで、ハンドセット用モジュラージャック６とヘッドセット用モジュラージャック７は基板２４上に止められている。
【００２０】
以上説明したように、本実施の形態では、先にハンドセット用モジュラープラグ２３をハンドセット用モジュラージャック６に挿入しないと、誤挿入防止部材１０の長足部１２がヘッドセット用のモジュラージャック７を塞ぐ形状となっているため、ハンドセットモジュラープラグをヘッドセット用のモジュラージャック７に誤挿入することが物理的に無くなる。このためモジュラープラグの挿し間違えによる電話機の誤動作を防ぐことができる。
【００２１】
なお、本発明（ここは本発明でよい）は上記実施形態そのままに限定されるものではなく、実施段階ではその要旨を逸脱しない範囲で構成要素を変形して具体化できる。また、上記実施形態に開示されている複数の構成要素の適宜な組み合せにより種々の発明を形成できる。例えば、実施形態に示される全構成要素から幾つかの構成要素を削除してもよい。更に、異なる実施形態に亘る構成要素を適宜組み合せてもよい。
【符号の説明】
【００２２】
１・・・電話機本体、６・・・ハンドセット用モジュラージャック、７・・・ヘッドセット用モジュラージャック、１０・・・誤挿入防止部材、１１・・・短足部、１２・・・長足部、１３・・・回転軸、１４・・・スリッド、１５・・・本体ベース、１７・・・バネ、２０・・・バネ止めリブ、２１・・・止め輪、２２・・・誤挿入防止リブ、２３・・・モジュラープラグ。
【図１】
2015038807.tif 000003
【図２】
2015038807.tif 000004
【図３】
2015038807.tif 000005
【図４】
2015038807.tif 000006
【図５】
2015038807.tif 000007
【図６】
2015038807.tif 000008
【図７】
2015038807.tif 000009
【図８】
2015038807.tif 000010
【図９】
2015038807.tif 000011
【図１０】
2015038807.tif 000012
【図１１】
2015038807.tif 000013
【図１２】
2015038807.tif 000014
【図１３】
2015038807.tif 000015
【手続補正書】
【提出日】平成23年11月14日(2011.11.14)
【手続補正１】
【補正対象書類名】特許請求の範囲
【補正対象項目名】全文
【補正方法】変更
【補正の内容】
【特許請求の範囲】
【請求項１】
電子機器において、
プラグを差し込む順番に優先順位のある複数のジャックと、
前記複数のジャックの近傍に、軸を中心に回転自在に取り付けられ、優先順位が高いジャック側が短い短足部と、優先順位が低いジャック側は長い長足部とを有し、前記優先順位が高いジャックにプラグが接続されていないときは、前記優先順位が低いジャックの少なくとも一部を閉塞し、前記優先順位が高いジャックに前記プラグが挿入されているときには、前記短い短足部が前記プラグに押圧されて前記優先順位が低いジャックの前記閉塞を解除するように回転する誤挿入防止部材と
を具備する電子機器。
【請求項２】
前記誤挿入防止部材は、
誤挿入防止部材の長足部が、前記優先順位が低いジャックを閉塞する方向に回動させる弾性部材と
を具備する請求項１記載の電子機器。
【請求項３】
前記優先順位の低いジャックは、その外周に２辺に設けられた誤挿入防止リブを
具備する請求項１記載の電子機器。
【請求項４】
前記電子機器は、電話機であり、
前記優先度の高いジャックは、ハンドセット用のモジュラージャックであり、
前記優先度の低いジャックは、ヘッドセット用のモジュラージャックである請求項１記載の電子機器。
【請求項５】
電子機器に設けられた複数のジャックの近傍に、軸を中心に回転自在に取り付けられ、
優先順位が高いモジュラージャック側が短い短足部と、
優先順位が低いモジュラージャック側は長い長足部と
を有し、前記優先順位が高いジャックにプラグが接続されていないときは、前記優先順位が低いジャックの少なくとも一部を閉塞し、前記優先順位が高いジャックに前記プラグが挿入されているときには、前記短い短足部が前記プラグに押圧されて前記優先順位が低いジャックの前記閉塞を解除するように回転する誤挿入防止部材。
【請求項６】
前記長足部が、前記優先順位が低いジャックを閉塞する方向に回動させる弾性部材を
さらに具備する請求項５記載の誤挿入防止部材。
【請求項７】
前記優先順位の低いジャックは、その外周に２辺に設けられた誤挿入防止リブを
具備する請求項５記載の誤挿入防止部材。
【請求項８】
前記優先度の高いジャックは、ハンドセット用のモジュラージャックであり、
前記優先度の低いジャックは、ヘッドセット用のモジュラージャックである請求項５記載の誤挿入防止部材。
【手続補正２】
【補正対象書類名】明細書
【補正対象項目名】０００８
【補正方法】変更
【補正の内容】
【０００８】
実施形態によれば、電子機器は、複数のジャックと、誤挿入防止部材とを具備する。複数のジャックは、プラグを差し込む順番に優先順位がある。誤挿入防止部材は、前記複数のジャックの近傍に、軸を中心に回転自在に取り付けられ、優先順位が高いジャック側が短い短足部と、優先順位が低いジャック側は長い長足部とを有し、前記優先順位が高いジャックにプラグが接続されていないときは、前記優先順位が低いジャックの少なくとも一部を閉塞し、前記優先順位が高いジャックに前記プラグが挿入されているときには、前記短い短足部が前記プラグに押圧されて前記優先順位が低いジャックの前記閉塞を解除するように回転する。
【手続補正３】
【補正対象書類名】明細書
【補正対象項目名】００１２
【補正方法】変更
【補正の内容】
【００１２】
しかし表示のみでモジュラージャックを識別する方法では、間違えて異なるモジュラージャックへ誤挿入を起こす恐れがある。具体的には、現在の電話機ではハンドセットのモジュラープラグをヘッドセットモジュラージャック7に挿入してしまうと、フックが切れないという誤動作が生ずる。このため、２種類のモジュラージャックは、挿入するモジュラージャックを間違えないことはもちろん、モジュラープラグを差し込む順番に優先順位を規定している。このため、まず、優先順位１番目であるハンドセット用のモジュラージャック6に優先順位１番目のハンドセットのモジュラープラグを挿入する。その後、優先順位２番目のヘッドセット用のモジュラージャック7に優先順位２番目のヘッドセット用のモジュラープラグを挿入するようにしている。